(57)【要約】  電流センサが正しい方向に設置されているか否かを短時間で簡易に判定する。  本発明に係る電力管理装置１０は、第１電流センサ３０ａ及び第２電流センサ３０ｂから取得した電流値の符号を補正してデータ処理を行う制御部１２を備え、制御部１２は、第１電圧線の電流値及び電圧値と負荷機器２０の動作状態とに基づいて判定された第１電流センサ３０ａの設置方向と、第１電圧線の電流の第１測定値および第２電圧線の電流の第２測定値より判定された、第１電流センサ３０ａと第２電流センサ３０ｂとの相対的な設置方向の正否と、に基づいて、第１電流センサ３０ａ及び第２電流センサ３０ｂから取得した電流値の符号を補正する。
2016121378.tif 000002
【特許請求の範囲】
【請求項１】
電圧の印加される活線を２以上有する三線式の系統の前記活線に設置された複数の電流センサから電流値を取得し、該電流値を用いてデータ処理を行う電力管理装置であって、
前記活線の電圧値をそれぞれ取得し、前記電流センサから前記活線の電流値をそれぞれ取得する取得部と、
前記電流センサの設置方向を判定し、判定した設置方向に基づいて、前記電流センサから取得した電流値の符号を補正してデータ処理を行う制御部とを備え、
前記制御部は、取得した前記活線の電流値及び電圧値と前記活線に接続された前記負荷機器の動作状態とに基づいて判定された前記複数の電流センサのうちの１つの電流センサの設置方向と、前記電流センサから取得した２以上の測定値により判定された２以上の前記電流センサの相対的な設置方向の正否と、に基づいて前記電流センサから取得した電流値の符号を補正する電力管理装置。
【請求項２】
請求項１に記載の電力管理装置において、
前記三線式の系統は、前記活線である第１電圧線及び第２電圧線と、中性線とから構成される単相三線式の系統であり、
前記複数の電流センサは前記第１電圧線に設置された第１電流センサと前記第２電圧線に設置された第２電流センサとを含んでおり、
前記制御部は、
前記第１電流センサ及び前記第２電流センサの設置方向を判定し、判定した前記設置方向に基づいて、前記第１電流センサ及び前記第２電流センサから取得した電流値の符号を補正してデータ処理を行うとともに、
取得した前記第１電圧線の電流値及び電圧値と前記負荷機器の動作状態とに基づいて判定された前記第１電流センサの設置方向と、
前記第１電流センサから取得した前記第１電圧線の電流の第１測定値および前記第２電流センサから取得した前記第２電圧線の電流の第２測定値より判定された、前記第１電流センサと前記第２電流センサとの相対的な設置方向の正否と、に基づいて、前記第１電流センサ及び前記第２電流センサから取得した電流値の符号を補正する電力管理装置。
【請求項３】
請求項２に記載の電力管理装置において、前記制御部は、判定した前記第１電流センサの設置方向により符号を補正した前記第１電圧線の電流の第１測定値と、前記第２電圧線の電流の第２測定値とを比較し、前記第１測定値と前記第２測定値とが互いに逆極性の関係である場合は、前記第１電流センサと前記第２電流センサとの相対的な方向が正しいと判定し、前記第１測定値と前記第２測定値とが同極性の関係である場合は、前記第１電流センサと前記第２電流センサとの相対的な方向が正しい方向ではないと判定する電力管理装置。
【請求項４】
請求項２に記載の電力管理装置において、前記制御部は、
前記第１電圧線の電流の第１測定値と、前記第２電圧線の電流の第２測定値とを比較し、前記第１測定値と前記第２測定値とが互いに逆極性の関係である場合は、前記第１電流センサと前記第２電流センサとの相対的な方向が正しいと判定し、前記第１測定値と前記第２測定値とが同極性の関係である場合は、前記第１電流センサと前記第２電流センサとの相対的な方向が正しい方向ではないと判定して前記第２電流センサから取得した電流値の符号を反転させる補正をし、
取得した前記第１電圧線の電流値及び電圧値と前記負荷機器の動作状態とに基づいて判定された前記第１電流センサの設置方向が正しい方向であった場合は、前記相対的な方向の判定結果をそのまま保持し、
取得した前記第１電圧線の電流値及び電圧値と前記負荷機器の動作状態とに基づいて判定された前記第１電流センサの設置方向が正しい方向でなかった場合は、前記相対的な方向の判定結果に基づいて補正した前記第１電流センサ及び前記第２電流センサの符号を両方とも反転させることを特徴とする電力管理装置。
【請求項５】
請求項２から４のいずれか一項に記載の電力管理装置において、前記制御部は、前記第１電流センサ及び前記第２電流センサから取得した電流の測定値の絶対値が所定の閾値より大きいときに、前記第１電流センサと前記第２電流センサとの相対的な設置方向の正否を判定することを特徴とする電力管理装置。
【請求項６】
請求項２から５のいずれか一項に記載の電力管理装置において、前記制御部は、系統に買電方向に電流が流れるように前記負荷機器を動作させ、取得した前記第１電圧線の電流値及び電圧値を乗算した平均値を算出し、該平均値が正である場合は、前記第１電流センサの設置方向が正しいと判定することを特徴とする電力管理装置。
【請求項７】
請求項２から５のいずれか一項に記載の電力管理装置において、前記制御部は、系統に売電方向に電流が流れるように前記負荷機器を動作させ、取得した前記第１電圧線の電流値及び電圧値を乗算した平均値を算出し、該平均値が負である場合は、前記第１電流センサの設置方向が正しいと判定することを特徴とする電力管理装置。
【請求項８】
請求項１に記載の電力管理装置において、
前記三線式の系統は、前記活線である第１電圧線、第２電圧線及び第３電圧線から構成される三相三線式の系統であり、
前記複数の電流センサは前記第１電圧線に設置された第１電流センサと前記第２電圧線に設置された第２電流センサと前記第３電圧線に設置された第３電流センサとを含んでおり、
前記制御部は、
前記第１電流センサ、前記第２電流センサ及び前記第３電流センサの設置方向を判定し、判定した前記設置方向に基づいて、前記第１電流センサ、前記第２電流センサ及び前記第３電流センサから取得した電流値の符号を補正してデータ処理を行うとともに、
取得した前記第１電圧線の電流値及び電圧値と前記負荷機器の動作状態とに基づいて前記第１電流センサの設置方向を判定して、前記第１電流センサから取得した電流値の符号を補正し、
前記第１電流センサから取得した前記第１電圧線の電流が所定の位相であるときに前記第２電流センサ及び前記第３電流センサからそれぞれ取得した前記第２電圧線の電流の第２測定値及び前記第３電圧線の電流の第３測定値の極性に基づいて、前記第２電流センサ及び前記第３電流センサの設置方向を判定して、前記第２電流センサから取得した電流値の符号と前記第３電流センサから取得した電流値の符号とを補正する電力管理装置。
【請求項９】
請求項８に記載の電力管理装置において、前記制御部は、
前記所定の位相が１８０度である場合、
前記第２測定値の極性が正であれば前記第２電流センサの設置方向は正しいと判定し、
前記第３測定値の極性が負であれば前記第３電流センサの設置方向は正しいと判定し、
前記所定の位相が３６０度である場合、
前記第２測定値の極性が負であれば前記第２電流センサの設置方向は正しいと判定し、
前記第３測定値の極性が正であれば前記第３電流センサの設置方向は正しいと判定する、ことを特徴とする電力管理装置。
【請求項１０】
請求項８に記載の電力管理装置において、前記制御部は、
前記所定の位相が９０度である場合、
前記第２測定値の極性が負であれば前記第２電流センサの設置方向は正しいと判定し、
前記第３測定値の極性が負であれば前記第３電流センサの設置方向は正しいと判定し、
前記所定の位相が２７０度である場合、
前記第２測定値の極性が正であれば前記第２電流センサの設置方向は正しいと判定し、
前記第３測定値の極性が正であれば前記第３電流センサの設置方向は正しいと判定する、ことを特徴とする電力管理装置。
【請求項１１】
請求項８に記載の電力管理装置において、前記制御部は、
前記所定の位相が１２１〜２３９度の範囲である場合、
前記第２測定値の極性が正であれば前記第２電流センサの設置方向は正しいと判定し、
前記第３測定値の極性が負であれば前記第３電流センサの設置方向は正しいと判定する、ことを特徴とする電力管理装置。
【請求項１２】
請求項８に記載の電力管理装置において、前記制御部は、
前記所定の位相が３０１〜５９度の範囲である場合、
前記第２測定値の極性が負であれば前記第２電流センサの設置方向は正しいと判定し、
前記第３測定値の極性が正であれば前記第３電流センサの設置方向は正しいと判定する、ことを特徴とする電力管理装置。
【請求項１３】
請求項８に記載の電力管理装置において、前記制御部は、前記第１電圧線の電流の複数の異なる位相において、前記第２電流センサ及び前記第３電流センサの設置方向を判定することを特徴とする電力管理装置。
【請求項１４】
請求項８に記載の電力管理装置において、前記制御部は、前記第１電流センサから取得した前記第１電圧線の電流の位相に基づいて、どの位相において前記第２電流センサ及び前記第３電流センサの設置方向を判定するかを決定することを特徴とする電力管理装置。
【請求項１５】
電圧の印加される活線を２以上有する三線式の系統の前記活線に設置された複数の電流センサから電流値を取得する蓄電装置であって、
前記活線に放電電力を供給可能な蓄電池と、
前記活線の電圧値をそれぞれ取得し、前記電流センサから前記活線の電流値をそれぞれ取得する取得部と、
前記電流センサの設置方向を判定し、判定した設置方向に基づいて、前記電流センサから取得した電流値の符号を補正する制御部とを備え、
前記制御部は、取得した前記活線の電流値及び電圧値と前記蓄電池の動作状態とに基づいて判定された前記複数の電流センサのうちの１つの電流センサの設置方向と、前記電流センサから取得した２以上の測定値により判定された２以上の前記電流センサの相対的な設置方向の正否と、に基づいて前記電流センサから取得した電流値の符号を補正する蓄電装置。
【請求項１６】
請求項１５に記載の蓄電装置において
前記三線式の系統は、前記活線である第１電圧線及び第２電圧線と、中性線とから構成される単相三線式の系統であり、前記複数の電流センサは前記第１電圧線に設置された第１電流センサと前記第２電圧線に設置された第２電流センサとを含んでおり、
前記制御部は、
前記第１電流センサ及び前記第２電流センサの設置方向を判定し、判定した前記設置方向に基づいて、前記第１電流センサ及び前記第２電流センサから取得した電流値の符号を補正するとともに、
取得した前記第１電圧線の電流値及び電圧値と前記蓄電池の動作とに基づいて判定された前記第１電流センサの設置方向と、
前記第１電流センサから取得した前記第１電圧線の電流の第１測定値および前記第２電流センサから取得した前記第２電圧線の電流の第２測定値より判定された、前記第１電流センサと前記第２電流センサとの相対的な設置方向の正否と、に基づいて、前記第１電流センサ及び前記第２電流センサから取得した電流値の符号を補正することを特徴とする蓄電装置。
【請求項１７】
請求項１５に記載の蓄電装置において、
前記三線式の系統は、前記活線である第１電圧線、第２電圧線及び第３電圧線から構成される三相三線式の系統であり、前記複数の電流センサは前記第１電圧線に設置された第１電流センサと前記第２電圧線に設置された第２電流センサと前記第３電圧線に設置された第３電流センサとを含んでおり、
前記制御部は、
前記第１電流センサ、前記第２電流センサ及び前記第３電流センサの設置方向を判定し、判定した前記設置方向に基づいて、前記第１電流センサ、前記第２電流センサ及び前記第３電流センサから取得した電流値の符号を補正するとともに、
取得した前記第１電圧線の電流値及び電圧値と前記蓄電池の動作状態とに基づいて前記第１電流センサの設置方向を判定して、前記第１電流センサから取得した電流値の符号を補正し、
前記第１電流センサから取得した前記第１電圧線の電流が所定の位相であるときに前記第２電流センサ及び前記第３電流センサからそれぞれ取得した前記第２電圧線の電流の第２測定値及び前記第３電圧線の電流の第３測定値の極性に基づいて、前記第２電流センサ及び前記第３電流センサの設置方向を判定して、前記第２電流センサから取得した電流値の符号と前記第３電流センサから取得した電流値の符号とを補正する電力管理装置。
【発明の詳細な説明】
【関連出願へのクロスリファレンス】
【０００１】
本出願は、日本国特許出願２０１５−０１４３０５号（２０１５年１月２８日出願）の優先権を主張するものであり、当該出願の開示全体を、ここに参照のために取り込む。
【技術分野】
【０００２】
本発明は、電力管理装置及び蓄電装置に関するものである。
【背景技術】
【０００３】
近年、太陽電池、蓄電池及び燃料電池などの分散電源を一般住宅などに設け、系統と連系させて電力を供給する電力システムが普及しつつある。このような電力システムにおいては、多くの場合、電力管理装置が設置され、電力管理装置は、系統から供給される電力量や系統へ売電する電力量の算出などのために、電力線に設置した電流センサ（ＣＴ：Current Transformer）から電流情報を取得する。【０００４】
一般住宅には、通常、電力会社から単相三線で電力が供給されている。単相三線においては、Ｕ相とＷ相との間に交流２００Ｖが供給される。また、Ｕ相と中性線であるＯ相との間には１００Ｖが供給され、Ｗ相とＯ相との間にも１００Ｖが供給される。単相三線においては、通常、Ｕ相とＷ相に電流センサが設置される。【０００５】
また、例えば産業用機械などに対しては、電力会社から三相三線で電力が供給される場合がある。三相三線は、Ｒ相、Ｓ相及びＴ相の３つの相を有し、各相は位相が１２０度ずつずれた波形となっている。三相三線においては、通常、Ｒ相、Ｓ相及びＴ相のそれぞれに電流センサが設置される。【０００６】
電流センサには方向があり、電力管理装置が電力量などを正しく算出するためには、電流センサが正しい方向に設置されるように施工する必要がある。しかしながら、実際には、電流センサの設置作業において、電流センサの方向を間違えて、正しい方向に設置し損なう場合がある。
【先行技術文献】
【特許文献】
【０００７】
【特許文献１】特開２００４−２９７９５９号公報
【発明の概要】
【発明が解決しようとする課題】
【０００８】
上記課題を解決するため、電流センサが逆方向に設置されている場合は、逆方向に設置されている電流センサから取得した電流値の符号を反転させて処理することによって、電流センサの設置方向に関わらず、正しい電力表示をすることができる自家発電システムが提案されている（特許文献１参照）。【０００９】
しかしながら、特許文献１に記載の方法は、Ｕ相に設置された電流センサと、Ｗ相に設置された電流センサの両方に対して、設置されている方向が正しいか否かの判定を独立して行っていたため、電流センサの方向が正しいか否かの判定に時間がかかっていた。【００１０】
かかる点に鑑みてなされた本発明の目的は、電流センサが正しい方向に設置されているか否かを短時間で簡易に判定することができる電力管理装置及び蓄電装置を提供することにある。
【課題を解決するための手段】
【００１１】
本発明の実施形態に係る電力管理装置は、電圧の印加される活線を２以上有する三線式の系統の前記活線に設置された複数の電流センサから電流値を取得し、該電流値を用いてデータ処理を行う電力管理装置であって、前記活線の電圧値をそれぞれ取得し、前記電流センサから前記活線の電流値をそれぞれ取得する取得部と、前記電流センサの設置方向を判定し、判定した設置方向に基づいて、前記電流センサから取得した電流値の符号を補正してデータ処理を行う制御部とを備え、前記制御部は、取得した前記活線の電流値及び電圧値と前記負荷機器の動作状態とに基づいて判定された前記複数の電流センサのうちの１つの電流センサの設置方向と、前記電流センサから取得した２以上の測定値により判定された２以上の前記電流センサの相対的な設置方向の正否と、に基づいて前記電流センサから取得した電流値の符号を補正する。【００１２】
また、本発明の実施形態に係る蓄電装置は、電圧の印加される活線を２以上有する三線式の系統の前記活線に設置された複数の電流センサから電流値を取得する蓄電装置であって、前記活線に放電電力を供給可能な蓄電池と、前記活線の電圧値をそれぞれ取得し、前記電流センサから前記活線の電流値をそれぞれ取得する取得部と、前記電流センサの設置方向を判定し、判定した設置方向に基づいて、前記電流センサから取得した電流値の符号を補正する制御部とを備え、前記制御部は、取得した前記活線の電流値及び電圧値と前記蓄電池の動作状態とに基づいて判定された前記複数の電流センサのうちの１つの電流センサの設置方向と、前記電流センサから取得した２以上の測定値により判定された２以上の前記電流センサの相対的な設置方向の正否と、に基づいて前記電流センサから取得した電流値の符号を補正する。
【発明の効果】
【００１３】
本発明の実施形態に係る電力管理装置及び蓄電装置によれば、電流センサが正しい方向に設置されているか否かを短時間で簡易に判定し、電流センサが正しい方向に設置されていない場合に電流センサの電流値を正しく補正することができる。
【図面の簡単な説明】
【００１４】
【図１】本発明の第１実施形態に係る電力管理システムの概略構成を示す図である。
【図２】買電中及び売電中の電圧、電流、電力の関係の一例を示す図である。
【図３】Ｕ相及びＷ相の電流波形の一例を示す図である。
【図４】図１の電力管理システムにおいてアンバランスな負荷が接続されている状態の一例を示す図である。
【図５】電流波形の一例を示す図である。
【図６】本発明の第２実施形態に係る電力管理システムの概略構成を示す図である。
【図７】本発明の第３実施形態に係る電力管理システムの概略構成を示す図である。
【図８】本発明の第４実施形態に係る電力管理システムの概略構成を示す図である。
【図９】本発明の第４実施形態に係る電力管理システムにおいて、電流センサの設置方向を判定する様子の一例（例１）を示す図である。
【図１０】本発明の第４実施形態に係る電力管理システムにおいて、電流センサの設置方向を判定する様子の一例（例２）を示す図である。
【図１１】本発明の第４実施形態に係る電力管理システムにおいて、電流センサの設置方向を判定する様子の一例（例３）を示す図である。
【図１２】本発明の第４実施形態に係る電力管理システムにおいて、電流センサの設置方向を判定する様子の一例（例４）を示す図である。
【図１３】本発明の第５実施形態に係る電力管理システムの概略構成を示す図である。
【発明を実施するための形態】
【００１５】
以下、本発明の実施形態について、図面を参照して説明する。
【００１６】
［第１実施形態］
図１は、本発明の第１実施形態に係る電力管理システムの概略構成を示す図である。第１実施形態に係る電力管理システムは、電力管理装置１０と、蓄電装置２０と、電流センサ３０ａ及び３０ｂとを備える。図１において、各機能ブロックを結ぶ実線は電力線を示し、破線は通信線又は信号線を示す。通信線又は信号線が示す接続は、有線接続であってもよいし、無線接続であってもよい。
【００１７】
第１実施形態に係る電力管理システムにおいて、系統５０は、単相三線式の配線によって電力を供給する。単相三線式の配線は、Ｕ相、Ｗ相及びＯ相から構成され、Ｕ相、Ｗ相及びＯ相は、それぞれ、「第１電圧線」、「第２電圧線」及び「中性線」とも称する。Ｕ相及びＷ相は交流電圧が印加される配線であり、以後、このような交流電圧が印加される配線のことを「活線」とも称する。
【００１８】
電力管理装置１０は、Ｕ相に設置された電流センサ３０ａからＵ相の電流値を取得し、Ｗ相に設置された電流センサ３０ｂからＷ相の電流値を取得する。また、電力管理装置１０は、Ｕ相から電力管理装置１０に引き込まれた電圧検出用配線４０ａからＵ相の電圧値を取得し、Ｗ相から電力管理装置１０に引き込まれた電圧検出用配線４０ｂからＷ相の電圧値を取得する。なお、本実施形態では、有線を用いて電圧値を取得しているが、これに限られない。例えば、無線で電圧値を取得してもよい。
【００１９】
電力管理装置１０は、取得したＵ相及びＷ相の電流値・電圧値を用いて、消費電力の算出などのデータ処理を実行する。
【００２０】
電力管理装置１０は、通信線によって蓄電装置２０と接続しており、蓄電装置２０の動作を制御することができる。電力管理装置１０は、例えば、充電状態または放電状態で動作するように蓄電装置２０を制御することができる。また、電力管理装置１０は、蓄電装置２０の動作を停止させる制御をすることができる。
【００２１】
電力管理装置１０の構成及び機能の詳細については後述する。
【００２２】
蓄電装置２０は、単相三線のＵ相、Ｗ相及びＯ相に接続しているが、充電及び放電はＵ相−Ｗ相間に対して行われる。すなわち、充電動作の際は、蓄電装置２０は、Ｕ相−Ｗ相間の交流２００Ｖによって充電され、放電動作の際は、蓄電装置２０は、Ｕ相−Ｗ相間に対して交流２００Ｖを出力する。なお、図１に示す例においては、負荷装置として蓄電装置２０が接続されている例を示しているが、Ｕ相−Ｗ相間の交流２００Ｖによって給電動作を行い、給電動作のオン／オフを電力管理装置１０によって制御可能な負荷機器であれば蓄電装置以外の負荷機器であってもよい。例えば、交流２００Ｖで動作するエアコンであってもよい。
【００２３】
電流センサ３０ａはＵ相に設置され、検出したＵ相の電流値を電力管理装置１０に送信する。電流センサ３０ｂはＷ相に設置され、検出したＷ相の電流値を電力管理装置１０に送信する。
【００２４】
なお、電流センサ３０ａ及び３０ｂを設置する際は、系統５０から蓄電装置２０の方向に流れる電流を正と検出する方向と、蓄電装置２０から系統５０の方向に流れる電流を正と検出する方向とのいずれの方向に設置しても構わない。いずれの方向に電流センサ３０ａ及び３０ｂが設置されていても、電力管理装置１０が、電流センサ３０ａ及び３０ｂが設置されている方向を自動で判定し、電流センサ３０ａ及び３０ｂから取得した電流値の符号を自動で補正して、データ処理を実行するからである。以後、電力管理装置１０が、電流センサ３０ａ及び３０ｂが設置されている方向を自動で判定する処理を「方向判定処理」と称する。また、電力管理装置１０が、電流センサ３０ａ及び３０ｂから取得した電流値の符号を自動で補正する処理を「符号補正処理」と称する。電力管理装置１０による「方向判定処理」及び「符号補正処理」の詳細については後述する。
【００２５】
続いて、電力管理装置１０の構成及び機能について説明する。電力管理装置１０は、取得部１１、制御部１２及び記憶部１３を備える。
【００２６】
取得部１１は、電流センサ３０ａからＵ相の電流値を取得し、電流センサ３０ｂからＷ相の電流値を取得する。また、取得部１１は、電圧検出用配線４０ａからＵ相の電圧値を取得し、電圧検出用配線４０ｂからＷ相の電圧値を取得する。
【００２７】
制御部１２は、電力管理装置１０全体を制御及び管理するものであり、例えばプロセッサにより構成することができる。また、制御部１２は、通信線を介して蓄電装置２０の動作を制御する。制御部１２が蓄電装置２０を制御するための通信プロトコルとしては、例えばＥＣＨＯＮＥＴ  Ｌｉｔｅ（登録商標）などを用いることができる。なお、ＥＣＨＯＮＥＴ  Ｌｉｔｅはあくまで一例であって、他の通信プロトコルであってもよい。
【００２８】
制御部１２は、電流センサ３０ａ及び３０ｂの設置時などに、電流センサ３０ａ及び３０ｂの「方向判定処理」を実行し、電流センサ３０ａ及び３０ｂから取得した電流値の符号を補正するための符号情報を記憶部１３に保存する。制御部１２が「方向判定処理」をどのように実行するかについては後述する。なお、制御部１２が方向判定処理を実行するタイミングは、電流センサ３０ａ及び３０ｂの設置時に限るものではなく、その他のタイミングで実行してもよい。その他のタイミングとしては、例えば、停電から復帰したタイミング、電力管理装置１０が交換されたタイミング、又は、電力管理装置１０が初期化されたタイミング等である。
【００２９】
制御部１２は、電流センサ３０ａ又は３０ｂから取得したＵ相及びＷ相の電流値、電圧検出用配線４０ａ又は４０ｂから取得したＵ相及びＷ相の電圧値を用いて消費電力の算出などのデータ処理を実行する。なお、本実施形態におけるＵ相の電圧値（第１電圧線の電圧値）とは、Ｕ相−Ｗ相間の電圧である。また、Ｗ相の電圧値とは、Ｗ相−Ｕ相間の電圧である。ただし、これに限定されるものではなく、Ｏ相からも電圧検出用配線（不図示）を引く構成とし、Ｕ相の電圧値をＵ相−Ｏ相間の電圧、Ｗ相の電圧値をＷ相−Ｏ相間の電圧と定義しても、同様にデータ処理を実行することができる。制御部１２は、各種データ処理を実行する際は、「符号補正処理」によって、電流センサ３０ａ及び３０ｂから取得した電流値の符号を自動補正してから各種データ処理を実行する。制御部１２は、電流センサ３０ａ及び３０ｂから取得した電流値に対し、記憶部１３に記憶されている符号情報を乗算することによって「符号補正処理」を実行する。
【００３０】
符号情報は、電流センサ３０ａ（又は３０ｂ）が正しい方向に設置されている場合は「＋１」であり、電流センサ３０ａ（又は３０ｂ）が逆の方向に設置されている場合は「−１」である。すなわち、制御部１２は、電流センサ３０ａ（又は３０ｂ）が正しい方向に設置されている場合は、電流センサ３０ａ（又は３０ｂ）から取得した電流値をそのままデータ処理に使用し、電流センサ３０ａ（又は３０ｂ）が逆の方向に設置されている場合は、電流センサ３０ａ（又は３０ｂ）から取得した電流値の符号を反転させてデータ処理に使用する。なお、電流センサ３０ａ（又は３０ｂ）が正しい方向に設定されている場合において、電流センサ３０ａ（又は３０ｂ）から取得した電流値に「＋１」を乗算してもよい。
【００３１】
記憶部１３は、電流センサ３０ａ及び３０ｂについて、制御部１２が「符号補正処理」を実行する際に用いる符号情報を記憶している。
【００３２】
（方向判定処理）
続いて、上述した制御部１２による「方向判定処理」について具体的な例を用いて説明する。制御部１２は、電流センサ３０ａ及び３０ｂの設置時などに、２つの処理を組み合わせて「方向判定処理」を実行する。一つ目の処理は、電流センサ３０ａ及び３０ｂのいずれか一方に対し、設置されている方向を判定する「絶対方向判定処理」である。二つ目の処理は、電流センサ３０ａ及び３０ｂの相対的な方向が正しいか否かを判定する「相対方向判定処理」である。以下、「絶対方向判定処理」及び「相対方向判定処理」について説明する。
【００３３】
（絶対方向判定処理）
制御部１２は、「絶対方向判定処理」を、電流センサ３０ａ及び３０ｂのいずれか一方に対して実行する。以下、電流センサ３０ａに対して「絶対方向判定処理」を実行する場合を例に挙げて説明する。
【００３４】
また、以後、電流の方向について、系統５０側から蓄電装置２０などの負荷装置側に電流が流れているとき「買電方向」に電流が流れているという表現を用い、系統５０側に電流が流れているとき「売電方向」に電流が流れているという表現を用いることとする。
【００３５】
図２に、買電中及び売電中の、電圧、電流、電力の関係の一例を示す。ここで、図２に示す電流は、系統５０から蓄電装置２０に流れる方向の電流値が正の値になるように示したものである。図２（ａ）は、買電中に買電方向に電流が流れている場合の、電圧、電流、電力の関係を示す図である。図２（ｂ）は、売電中に売電方向に電流が流れている場合の、電圧、電流、電力の関係を示す図である。
【００３６】
図２（ａ）に示すように、買電方向に電流が流れている場合、電圧と電流の位相のずれは９０度以内である。電力は電圧と電流との積であるため、電圧と電流の位相のずれが９０度未満である場合、電力の平均値は正の値となる。
【００３７】
また、図２（ｂ）に示すように、売電方向に電流が流れている場合は、買電方向に電流が流れている場合とは電流の位相が逆になる。したがって、電力の平均値は負の値となる。
【００３８】
制御部１２は、図２に示した特性を利用することによって、電流センサ３０ａが正しい方向に設置されているか否かを判定することができる。
【００３９】
制御部１２は、方向判定処理を実行する際、蓄電装置２０が系統５０から給電される状態となるように蓄電装置２０を動作させる。そうすると、電流センサ３０ａには買電方向の電流が流れる。この状態で、制御部１２は、電流センサ３０ａから取得した電流値と電圧検出用配線４０ａから取得した電圧値とを乗算して平均値をとる。制御部１２は、この平均値が正の値である場合は電流センサ３０ａが正しい方向に設置されていると判定し、平均値が負の値である場合は電流センサ３０ａが逆の方向に設置されていると判定する。
【００４０】
また、制御部１２は、電力の平均値により判定する方法とは別の方法で、電流センサ３０ａが正しい方向に設置されているか否かを判定することもできる。例えば、制御部１２は、電力の平均値を算出する代わりに、電圧と電流の位相差から電流センサ３０ａの方向を判定することができる。この場合、制御部１２は、電流センサ３０ａから取得した電流値と電圧検出用配線４０ａから取得した電圧値の位相差が９０度より小さい場合は、電流センサ３０ａが正しい方向に設置されていると判定する。また、制御部１２は、位相差が９０度より小さい範囲にない場合は、電流センサ３０ａが逆の方向に設置されていると判定する。
【００４１】
制御部１２は、例えば上記２つのいずれかの方法により、電流センサ３０ａ及び３０ｂのいずれか一方について、正しい方向に設置されているか否かを判定する。
【００４２】
（相対方向判定処理）
続いて、「相対方向判定処理」について説明する。まず、制御部１２の動作を説明する前に、単相三線式の配線においてＵ相及びＷ相に流れる電流の極性の一般的な特性について説明する。Ｕ相に流れる電流とＷ相に流れる電流とは、例えば、図３に一例を示すように、ゼロクロス点を除いては必ず逆極性となる。この関係は、売電状態か買電状態か、負荷装置が１００Ｖ系か２００Ｖ系か、交流電圧の周波数が６０Ｈｚか５０Ｈｚか、などに関わらず常に成り立つ関係である。ただし、逆極性ではあるが、電流の絶対値や波形までもが同じとは限らない。
【００４３】
制御部１２は、この特性を利用して、電流センサ３０ａが設置された方向と、電流センサ３０ｂが設置された方向とが相対的に正しいか否かを判定する。ここで、電流センサ３０ａが設置された方向と、電流センサ３０ｂが設置された方向とが相対的に正しい状態とは、電流センサ３０ａ及び３０ｂの両方が正しい方向に設置されているか、電流センサ３０ａ及び３０ｂの両方が逆の方向に設置されているかのいずれかの状態である。
【００４４】
制御部１２は、電流センサ３０ａから取得した電流の測定値の瞬時値（第１測定値又は第１瞬時値と称する）と、電流センサ３０ｂから取得した電流の測定値の瞬時値（第２測定値又は第２瞬時値と称する）とを比較し、互いに逆極性の関係である場合は、電流センサ３０ａが設置された方向と電流センサ３０ｂが設置された方向とは相対的に正しい方向であると判定する。また、制御部１２は、電流センサ３０ａから取得した電流の測定値の瞬時値と、電流センサ３０ｂから取得した電流の測定値の瞬時値とを比較し、互いに同極性の関係である場合は、電流センサ３０ａが設置された方向と電流センサ３０ｂが設置された方向とは相対的に正しい方向ではないと判定する。
【００４５】
制御部１２は、電流センサ３０ａ及び３０ｂから取得した電流の瞬時値に基づいて上記判定を行うことができるため、「絶対方向判定処理」よりも短時間で「相対方向判定処理」を実行することができる。「絶対方向判定処理」は、電力の平均値を算出したり、電圧と電流の位相差を算出したりする必要があるため瞬時に判定することができるものではなく、例えば数秒から数分程度の時間を要するからである。
【００４６】
ここで、図４に示す例を参照して、Ｕ相−Ｏ相間と、Ｗ相−Ｏ相間とでアンバランスな負荷が設置されている場合であっても、Ｕ相に流れる電流とＷ相に流れる電流とが逆極性になるという関係が成り立つことを説明する。
【００４７】
図４に示す例においては、Ｕ相−Ｏ相間には３００Ｗの負荷６０ａが接続され、Ｗ相−Ｏ相間には１００Ｗの負荷６０ｂが接続されている。また、蓄電装置２０は、２ｋＷであり、２０Ａの電流が流れるものとする。
【００４８】
図４に示す例の場合、Ｕ相においては、系統５０から２３Ａの電流が流れ、そのうち２０Ａは蓄電装置２０に流れ、残りの３Ａは負荷６０ａに流れる。蓄電装置２０に流れた２０Ａは、Ｗ相を経由して系統５０に戻る。負荷６０ａに流れた３Ａは、Ｏ相に戻るが、その３Ａのうち１Ａは負荷６０ｂに流れる。負荷６０ｂに流れた１ＡはＷ相を経由して系統５０に戻る。その結果、Ｗ相においては、蓄電装置２０からの２０Ａと負荷６０ｂからの１Ａとを合わせた２１Ａが系統５０に流れる。
【００４９】
したがって、図４に示す例の場合において、Ｕ相における電流センサ３０ａの設置場所においては、買電方向に２３Ａが流れ、Ｗ相における電流センサ３０ｂの設置場所においては、売電方向に２１Ａが流れる。このように、Ｕ相−Ｏ相間と、Ｗ相−Ｏ相間とでアンバランスな負荷が設置されている場合であっても、Ｕ相に流れる電流とＷ相に流れる電流とは逆極性になる。それゆえ、本実施形態では、電流センサ３０ａ及び電流センサ３０ｂの電流の絶対値や波形が同じでなくても判定が可能となる。これにより、本実施形態は、電流センサ３０ａ及び電流センサ３０ｂの両方を絶対方向判定処理する方法よりも、負荷の状態が変化しても判定しやすい。
【００５０】
（電力管理装置による方向判定処理のフロー）
続いて、本実施形態において、電力管理装置１０が、電流センサ３０ａ及び３０ｂの方向判定処理を実行するフローについて説明する。なお、以下の説明においては、電流センサ３０ａについて「絶対方向判定処理」を実行する場合を例に挙げて説明するが、電流センサ３０ｂについて「絶対方向判定処理」を実行する場合も同様のフローにより実行することができる。
【００５１】
制御部１２は、蓄電装置２０に充電開始の指令を送信し、蓄電装置２０に充電動作を開始させる。
【００５２】
取得部１１は、電流センサ３０ａからＵ相の電流値を取得し、電圧検出用配線４０ａからＵ相の電圧値を取得する。
【００５３】
制御部１２は、電流センサ３０ａから取得したＵ相の電流値と、電圧検出用配線４０ａから取得したＵ相の電圧値とに基づいて、「絶対方向判定処理」を実行する。
【００５４】
制御部１２は、「絶対方向判定処理」の結果、電流センサ３０ａの設置方向が正しい方向であると判定した場合、電流センサ３０ａから取得した電流値の符号を補正するための符号情報として「＋１」を記憶部１３に保存する。制御部１２は、「絶対方向判定処理」の結果、電流センサ３０ａの設置方向が逆の方向であると判定した場合、電流センサ３０ａから取得した電流値の符号を補正するための符号情報として「−１」を記憶部１３に保存する。
【００５５】
取得部１１は、電流センサ３０ａからＵ相の瞬時電流値を取得し、電流センサ３０ｂからＷ相の瞬時電流値を取得する。
【００５６】
制御部１２は、電流センサ３０ａから取得したＵ相の瞬時電流値と、電流センサ３０ｂから取得したＷ相の瞬時電流値とに基づいて、「相対方向判定処理」を実行する。
【００５７】
制御部１２は、「相対方向判定処理」の結果、絶対方向判定処理後の電流センサ３０ａの設置方向と、電流センサ３０ｂの設置方向とが相対的に正しいと判定した場合、電流センサ３０ｂから取得した電流値の符号を補正するための符号情報として「＋１」を記憶部１３に保存する。なお、電流センサ３０ａの設置方向と電流センサ３０ｂの設置方向とが相対的に正しいとは、以下の２つの状態を指す。１つ目は、「絶対方向判定処理」の結果に基づいて記憶部１３に保存した電流センサ３０ａの符号情報が「＋１」のときに、電流センサ３０ａの補正前の瞬時電流値に対して電流センサ３０ｂの補正前の瞬時電流値が逆極性の状態であった場合である。２つ目は、「絶対方向判定処理」で記憶部１３に保存した電流センサ３０ａの符号情報が「−１」のときに、電流センサ３０ａの補正前の瞬時電流値に対して電流センサ３０ｂの補正前の瞬時電流値が同極性の状態であった場合である。制御部１２は、「相対方向判定処理」の結果、絶対方向判定処理後の電流センサ３０ａの設置方向と、電流センサ３０ｂの設置方向とが相対的に正しくないと判定した場合、電流センサ３０ｂから取得した電流値の符号を補正するための符号情報として「−１」を記憶部１３に保存する。なお、電流センサ３０ａの設置方向と電流センサ３０ｂの設置方向とが相対的に正しくないとは、以下の２つの状態を指す。１つ目は、「絶対方向判定処理」の結果に基づいて記憶部１３に保存した電流センサ３０ａの符号情報が「＋１」のときに、電流センサ３０ａの補正前の瞬時電流値に対して電流センサ３０ｂの補正前の瞬時電流値が同極性の状態であった場合である。２つ目は、「絶対方向判定処理」で記憶部１３に保存した電流センサ３０ａの符号情報が「−１」のときに、電流センサ３０ａの補正前の瞬時電流値に対して電流センサ３０ｂの補正前の瞬時電流値が逆極性の状態であった場合である。
【００５８】
制御部１２は、以後の各種データ処理においては、記憶部１３に保存されている符号情報によって、電流センサ３０ａ及び３０ｂから取得した電流値に符号補正処理を実行してから、各種データ処理を実行する。
【００５９】
なお、上述の方向判定処理のフローの説明においては、電流センサ３０ａについて「絶対方向判定処理」を実行してから、「相対方向判定処理」を実行したが、先に「相対方向判定処理」を実行してから、「絶対方向判定処理」を実行してもよい。その場合は、方向判定処理のフローは、以下のようになる。
【００６０】
制御部１２は、蓄電装置２０に充電開始の指令を送信し、蓄電装置２０に充電動作を開始させる。
【００６１】
取得部１１は、電流センサ３０ａからＵ相の瞬時電流値を取得し、電流センサ３０ｂからＷ相の瞬時電流値を取得する。
【００６２】
制御部１２は、電流センサ３０ａから取得したＵ相の瞬時電流値と、電流センサ３０ｂから取得したＷ相の瞬時電流値とに基づいて、「相対方向判定処理」を実行する。
【００６３】
制御部１２は、「相対方向判定処理」の結果、電流センサ３０ａの設置方向と、電流センサ３０ｂの設置方向とが相対的に正しいと判定した場合、電流センサ３０ａ及び３０ｂから取得した電流値の符号を補正するための符号情報として「＋１」を記憶部１３に保存する。制御部１２は、「相対方向判定処理」の結果、電流センサ３０ａの設置方向と、電流センサ３０ｂの設置方向とが相対的に正しくないと判定した場合、電流センサ３０ａから取得した電流値の符号を補正するための符号情報として「＋１」を記憶部１３に保存し、電流センサ３０ｂから取得した電流値の符号を補正するための符号情報として「−１」を記憶部１３に保存する。
【００６４】
取得部１１は、電流センサ３０ａからＵ相の電流値を取得し、電圧検出用配線４０ａからＵ相の電圧値を取得する。
【００６５】
制御部１２は、電流センサ３０ａから取得したＵ相の電流値と、電圧検出用配線４０ａから取得したＵ相の電圧値とに基づいて、「絶対方向判定処理」を実行する。
【００６６】
制御部１２は、「絶対方向判定処理」の結果、電流センサ３０ａの設置方向が正しい方向であると判定した場合、記憶部１３に保存している符号情報を、「相対方向判定処理」で保存した符号情報のままとする。制御部１２は、「絶対方向判定処理」の結果、電流センサ３０ａの設置方向が逆の方向であると判定した場合、「相対方向判定処理」後に記憶部１３に保存した電流センサ３０ａ及び３０ｂの符号情報を両方とも反転させる。
【００６７】
つまり、本実施形態では、第１瞬時値と、第２瞬時値とを比較し、第１瞬時値と第２瞬時値とが互いに逆極性の関係である場合は、電流センサ３０ａと電流センサ３０ｂとの相対的な方向が正しいと判定し、第１瞬時値と第２瞬時値とが同極性の関係である場合は、電流センサ３０ａと電流センサ３０ｂとの相対的な方向が正しい方向ではないと判定して電流センサ３０ｂから取得した電流値の符号を反転させる補正をする。次いで、取得したＵ相の電流値及び電圧値および負荷機器の動作状態に基づいて判定された電流センサ３０ａの設置方向が正しい方向であった場合は、前記相対的な方向の判定結果をそのまま保持する。一方で、取得したＵ相の電流値及び電圧値および負荷機器の動作状態に基づいて判定された電流センサ３０ａの設置方向が正しい方向でなかった場合は、前記相対的な方向の判定結果に基づいて補正した電流センサ３０ａ及び電流センサ３０ｂの符号を両方とも反転させる。このように、本実施形態では、「相対方向判定処理」後に「絶対方向判定処理」を実行しているため、相対方向判定処理を実行中に相対方向判定処理で測定した電流センサ３０ａの第１瞬時値を所定時間積算することでＵ相の電流値及び電圧値を取得することができる。それゆえ、本実施形態では、「絶対方向判定処理」が始まる前にＵ相の電流値及び電圧値を取得できるため、絶対方向判定の処理時間を短縮することができる。
【００６８】
（相対方向判定処理の実行時における閾値設定）
制御部１２による相対方向判定処理の実行時において、電流センサ３０ａ及び３０ｂから取得した瞬時電流値がゼロクロス付近の値であるときは、電流センサ３０ａ及び３０ｂの誤差などによって瞬時電流値の極性を正しく判定できない場合がある。これを防ぐために、制御部１２は、瞬時電流値の絶対値が所定の閾値Ｉｔｈより大きいときに、相対的な設置方向を判定するようにしてもよい。
【００６９】
図５に示す例においては、制御部１２は、瞬時電流値が−Ｉｔｈ〜Ｉｔｈの範囲にある場合は、別の時間に瞬時電流値を取得し直し、瞬時電流値の絶対値がＩｔｈより大きい場合に、相対方向判定処理を実行する。閾値Ｉｔｈは、例えば、電流センサ３０ａ及び３０ｂの許容誤差に基づいて設定することができる。例えば、電流センサ３０ａ及び３０ｂが４０Ａまで測定可能な仕様で、許容誤差が５％である場合、２Ａの誤差がある。この誤差分を考慮して、閾値Ｉｔｈを２Ａ以上と設定してもよい。
【００７０】
このように、本実施形態によれば、電流センサ３０ａと電流センサ３０ｂのいずれか一方についてのみ「絶対方向判定処理」を行い、これに、電流の瞬時値の測定を用いて短時間で判定できる「相対方向判定処理」を組み合わせて、電流センサ３０ａ及び電流センサ３０ｂの設置方向を判定する。これにより、電流センサ３０ａ及び電流センサ３０ｂが正しい方向に設置されているか否かを短時間で簡易に判定することができ、その結果を用いて、電流センサ３０ａ及び電流センサ３０ｂから取得した電流値の符号を補正することができる。
【００７１】
［第２実施形態］
図６は、本発明の第２実施形態に係る電力管理システムの概略構成を示す図である。第２実施形態に係る電力管理システムは、蓄電装置７０と、電流センサ３５ａ及び３５ｂとを備える。図６において、各機能ブロックを結ぶ実線は電力線を示し、破線は通信線又は信号線を示す。通信線又は信号線が示す接続は、有線接続であってもよいし、無線接続であってもよい。第２実施形態においては、第１実施形態と同様又は類似する内容については適宜説明を省略し、第１実施形態との相違点について主に説明する。
【００７２】
第２実施形態は、押し上げ効果なしの契約条件において設置されている蓄電装置７０を想定した構成である。ここで、「押し上げ効果なしの契約条件」とは、太陽光発電装置による発電電力を電力会社（系統）に売電中は、蓄電装置を放電させて負荷に電力を供給することができない契約条件である。なお、図６においては、単相三線に接続されている太陽光発電装置の図示は省略している。
【００７３】
電流センサ３５ａ及び３５ｂは、蓄電装置７０が押し上げ効果を生じさせないように、系統５０への逆潮流を監視するための電流センサである。
【００７４】
蓄電装置７０は、取得部７１、制御部７２、記憶部７３、蓄電池７４及びパワーコンディショナ７５を備える。取得部７１、制御部７２及び記憶部７３は、第１実施形態の電力管理装置１０における取得部１１、制御部１２及び記憶部１３にそれぞれ対応するものであり、取得部１１、制御部１２及び記憶部１３と同様の動作をするため詳細な説明は省略する。
【００７５】
蓄電池７４は、放電することによりパワーコンディショナ７５に直流電力を供給する。また、蓄電池７４は、パワーコンディショナ７５から供給される直流電力により充電される。
【００７６】
パワーコンディショナ７５は、蓄電池７４が放電する直流電力を交流電力に変換する。また、パワーコンディショナ７５は双方向であり、単相三線から供給される交流電力を直流電力に変換して蓄電池７４に供給し、蓄電池７４を充電する。
【００７７】
第２実施形態においては、蓄電装置７０の内部に、第１実施形態の取得部１１、制御部１２及び記憶部１３にそれぞれ対応する取得部７１、制御部７２及び記憶部７３があるという点で第１実施形態と異なる。
【００７８】
蓄電装置７０は、電流センサ３５ａ及び３５ｂの設置時などに、電流センサ３５ａ及び３５ｂの方向判定処理を実行する。
【００７９】
蓄電装置７０は方向判定処理を実行する際、制御部７２が、蓄電池７４及びパワーコンディショナ７５に充電動作を開始させてから、方向判定処理を実行する。以後の処理は、第１実施形態と同様の処理である。
【００８０】
このように、本実施形態によれば、電流センサ３５ａと電流センサ３５ｂのいずれか一方についてのみ「絶対方向判定処理」を行い、これに、電流の瞬時値の測定を用いて短時間で判定できる「相対方向判定処理」を組み合わせて、電流センサ３５ａ及び電流センサ３５ｂの設置方向を判定する。これにより、逆潮流監視用の電流センサ３５ａ及び電流センサ３５ｂが正しい方向に設置されているか否かを短時間で簡易に判定することができ、その結果を用いて、蓄電装置７０は、電流センサ３５ａ及び電流センサ３５ｂから取得した電流値の符号を補正し、逆潮流を監視することができる。
【００８１】
［第３実施形態］
図７は、本発明の第３実施形態に係る電力管理システムの概略構成を示す図である。第３実施形態に係る電力管理システムは、電力管理装置１０と、電流センサ３０ａ及び３０ｂと、太陽光発電装置８０とを備える。図７において、各機能ブロックを結ぶ実線は電力線を示し、破線は通信線又は信号線を示す。通信線又は信号線が示す接続は、有線接続であってもよいし、無線接続であってもよい。第３実施形態においては、第１実施形態と同様又は類似する内容については適宜説明を省略し、第１実施形態との相違点について主に説明する。
【００８２】
第３実施形態は、蓄電装置２０の代わりに太陽光発電装置８０が設置されているという点で第１実施形態と異なる。
【００８３】
太陽光発電装置８０は、太陽電池８１及びパワーコンディショナ８２を備える。太陽電池８１は、太陽光のエネルギーを直流電力に変換する。パワーコンディショナ８２は、太陽電池８１から供給される直流電力を交流電力に変換する。パワーコンディショナ８２は、２００Ｖの交流電力をＵ相―Ｗ相間に供給する。
【００８４】
一般的に、太陽光発電装置８０内のパワーコンディショナ８２には、太陽電池８１から電源を取るものと、系統５０から電源を取るものがあるが、本実施形態に係るパワーコンディショナ８２は、系統５０から電源を取るものであるとする。
【００８５】
（買電方向に電流を流す場合の電力管理装置による方向判定処理のフロー）
電力管理装置１０の制御部１２は、太陽光発電装置８０内のパワーコンディショナ８２に「電源オン」の指令を送信する。この際、太陽光発電装置８０が発電中である場合は、制御部１２は、パワーコンディショナ８２に「出力停止」の指令を送信し、逆潮流の電流が系統５０に流れ込まないようにする。以後の処理は、第１実施形態の場合と同様である。
【００８６】
（売電方向に電流を流す場合の電力管理装置による方向判定処理のフロー）
この場合、太陽光発電装置８０以外の負荷（図示せず）を停止させてから、方向判定処理を実行する。太陽光発電装置８０以外の負荷（図示せず）の停止は、分岐ブレーカをオフにすることなどにより行う。
【００８７】
電力管理装置１０は、太陽光発電装置８０を発電状態で動作させ、系統５０に売電方向の電流、すなわち逆潮流の電流が流れるようにする。
【００８８】
以後の処理は、第１実施形態の場合の処理と、ほぼ同様であるが、「絶対方向判定処理」の判定の仕方が異なる。
【００８９】
電力の平均値で判定する場合、制御部１２は、売電方向の電流を流させた状態で、電流センサ３０ａから取得した電流値と電圧検出用配線４０ａから取得した電圧値とを乗算して平均値をとる。制御部１２は、この平均値が正の値である場合は電流センサ３０ａが逆の方向に設置されていると判定し、平均値が負の値である場合は電流センサ３０ａが正しい方向に設置されていると判定する。
【００９０】
または、電流と電圧の位相差で判定する場合、制御部１２は、売電方向の電流を流させた状態で、電流センサ３０ａから取得した電流値と電圧検出用配線４０ａから取得した電圧値の位相差が９０度より小さい場合は、電流センサ３０ａが逆の方向に設置されていると判定する。また、制御部１２は、位相差が９０度より小さい範囲にない場合は、電流センサ３０ａが正しい方向に設置されていると判定する。
【００９１】
このように、本実施形態によれば、太陽光発電装置８０を発電させて、系統５０に売電方向の電流が流れる状態でも、電流センサ３０ａ及び電流センサ３０ｂが正しい方向に設置されているか否かを短時間で簡易に判定することができ、その結果を用いて、電流センサ３０ａ及び電流センサ３０ｂから取得した電流値の符号を補正することができる。
【００９２】
［第４実施形態］
第４実施形態は、第１実施形態のような単相三線式の配線ではなく、三相三線式の配線で電力を供給する構成としたものである。
【００９３】
図８は、本発明の第４実施形態に係る電力管理システムの概略構成を示す図である。第４実施形態に係る電力管理システムは、電力管理装置１５と、蓄電装置２５と、電流センサ３７ａ、３７ｂ及び３７ｃとを備える。図８において、各機能ブロックを結ぶ実線は電力線を示し、破線は通信線又は信号線を示す。通信線又は信号線が示す接続は、有線接続であってもよいし、無線接続であってもよい。第４実施形態においては、第１実施形態と同様又は類似する内容については適宜説明を省略し、第１実施形態との相違点について主に説明する。
【００９４】
第４実施形態に係る電力管理システムにおいて、系統５０は、三相三線式の配線によって電力を供給する。三相三線式の配線は、Ｒ相、Ｓ相及びＴ相から構成され、Ｒ相、Ｓ相及びＴ相は、それぞれ、「第１電圧線」、「第２電圧線」及び「第３電圧線」とも称する。Ｒ相、Ｓ相及びＴ相は交流電圧が印加される活線である。
【００９５】
電力管理装置１５は、Ｒ相、Ｓ相及びＴ相にそれぞれ設置された電流センサ３７ａ、３７ｂ及び３７ｃから、それぞれＲ相、Ｓ相及びＴ相の電流値を取得する。また、電力管理装置１５は、Ｒ相、Ｓ相及びＴ相から、それぞれ電力管理装置１５に引き込まれた電圧検出用配線４７ａ、４７ｂ及び４７ｃから、それぞれＲ相、Ｓ相及びＴ相の各相間の電圧値を取得する。なお、本実施形態では、有線を用いて電圧値を取得しているが、これに限られない。例えば、無線で電圧値を取得してもよい。
【００９６】
電力管理装置１５は、取得したＲ相、Ｓ相及びＴ相の電流値・電圧値を用いて、消費電力の算出などのデータ処理を実行する。
【００９７】
電力管理装置１５は、通信線によって蓄電装置２５と接続しており、蓄電装置２５の動作を制御することができる。電力管理装置１５は、例えば、充電状態または放電状態で動作するように蓄電装置２５を制御することができる。また、電力管理装置１５は、蓄電装置２５の動作を停止させる制御をすることができる。
【００９８】
電力管理装置１５の構成及び機能の詳細については後述する。
【００９９】
蓄電装置２５は、充電動作の際は、Ｒ相、Ｓ相及びＴ相から供給される電力によって充電され、放電動作の際は、Ｒ相、Ｓ相及びＴ相に対して電力を供給する。なお、図８に示す例においては、負荷装置として蓄電装置２５が接続されている例を示しているが、給電動作のオン／オフを電力管理装置１５によって制御可能な負荷機器であれば蓄電装置以外の負荷機器であってもよい。
【０１００】
電流センサ３７ａ、３７ｂ及び３７ｃは、それぞれＲ相、Ｓ相及びＴ相に設置され、それぞれが検出したＲ相、Ｓ相及びＴ相の電流値を電力管理装置１５に送信する。
【０１０１】
第４実施形態においても、第１実施形態と同様に、電力管理装置１５が、電流センサ３７ａ、３７ｂ及び３７ｃが設置されている方向を自動で判定する処理を「方向判定処理」と称する。また、電力管理装置１５が、電流センサ３７ａ、３７ｂ及び３７ｃから取得した電流値の符号を自動で補正する処理を「符号補正処理」と称する。
【０１０２】
続いて、電力管理装置１５の構成及び機能について説明する。電力管理装置１５は、取得部１６、制御部１７及び記憶部１８を備える。
【０１０３】
取得部１６は、電流センサ３７ａ、３７ｂ及び３７ｃから、それぞれＲ相、Ｓ相及びＴ相の電流値を取得する。また、取得部１６は、電圧検出用配線４７ａ、４７ｂ及び４７ｃから、それぞれＲ相、Ｓ相及びＴ相の各相間の電圧値を取得する。具体的には、例えば蓄電装置２５の内部がΔ結線ならば、Ｒ相の電圧検出用配線４７ａとＳ相の電圧検出用配線４７ｂを用いてＲ相−Ｓ相間の電圧、Ｓ相の電圧検出用配線４７ｂとＴ相の電圧検出用配線４７ｃを用いてＳ相−Ｔ相間の電圧、Ｔ相の電圧検出用配線４７ｃとＲ相の電圧検出用配線４７ａを用いてＴ相−Ｒ相間の電圧が取得される。
【０１０４】
制御部１７は、電力管理装置１５全体を制御及び管理するものであり、例えばプロセッサにより構成することができる。また、制御部１７は、通信線を介して蓄電装置２５の動作を制御する。制御部１７が蓄電装置２５を制御するための通信プロトコルとしては、例えばＥＣＨＯＮＥＴ  Ｌｉｔｅ（登録商標）などを用いることができる。なお、ＥＣＨＯＮＥＴ  Ｌｉｔｅはあくまで一例であって、他の通信プロトコルであってもよい。
【０１０５】
制御部１７は、電流センサ３７ａ、３７ｂ及び３７ｃの設置時などに、電流センサ３７ａ、３７ｂ及び３７ｃの「方向判定処理」を実行し、電流センサ３７ａ、３７ｂ及び３７ｃから取得した電流値の符号を補正するための符号情報を記憶部１８に保存する。制御部１７が「方向判定処理」をどのように実行するかについては後述する。なお、制御部１７が方向判定処理を実行するタイミングは、電流センサ３７ａ、３７ｂ及び３７ｃの設置時に限るものではなく、その他のタイミングで実行してもよい。その他のタイミングとしては、例えば、停電から復帰したタイミング、電力管理装置１５が交換されたタイミング、又は、電力管理装置１５が初期化されたタイミング等である。
【０１０６】
制御部１７は、電流センサ３７ａ、３７ｂ及び３７ｃから取得したＲ相、Ｓ相及びＴ相の電流値、電圧検出用配線４７ａ、４７ｂ及び４７ｃから取得したＲ相、Ｓ相及びＴ相の各相間の電圧値を用いて消費電力の算出などのデータ処理を実行する。制御部１７は、第１実施形態の制御部１２と同様に、電流センサ３７ａ、３７ｂ及び３７ｃから取得した電流値に対し、記憶部１８に記憶されている符号情報を乗算することによって「符号補正処理」を実行する。
【０１０７】
記憶部１８は、電流センサ３７ａ、３７ｂ及び３７ｃについて、制御部１２が「符号補正処理」を実行する際に用いる符号情報を記憶している。
【０１０８】
（方向判定処理）
続いて、上述した制御部１７による「方向判定処理」について具体的な例を用いて説明する。制御部１７は、第１実施形態の制御部１２と同様の処理により、電流センサ３７ａ、３７ｂ及び３７ｃのうちの１つの電流センサについて「絶対方向判定処理」を実行し、設置されている方向を判定する。以下、電流センサ３７ａに対して「絶対方向判定処理」を実行する場合を例に挙げて説明する。なお、電流センサ３７ａについて「絶対方向判定処理」を実行するのはあくまで一例であり、電流センサ３７ｂ又は３７ｃについて「絶対方向判定処理」を実行するようにしても、同様の方法により、以下に説明する処理を実行することができる。
【０１０９】
制御部１７は、「絶対方向判定処理」の結果、電流センサ３７ａの設置方向が正しい方向であると判定した場合、符号情報として「＋１」を記憶部１８に保存し、電流センサ３７ａの設置方向が逆の方向であると判定した場合、符号情報として「−１」を記憶部１８に保存する。制御部１７は、記憶部１８に保存した符号情報を用いて、電流センサ３７ａの符号を補正する。また、本例においては蓄電装置２５の内部がΔ結線であるものとして、電流センサ３７ａに対して「絶対方向判定処理」を実行する場合に、Ｒ相の電圧検出用配線４７ａとＳ相の電圧検出用配線４７ｂを用いて相間の電圧の値を算出するものとして説明するが、これに限るものでは無く、相間の電圧の算出は一般的な三相三線式における結線状態に適した算出方法を適用すれば良い。
【０１１０】
制御部１７は、「絶対方向判定処理」により、電流センサ３７ａから取得した電流値、すなわち、Ｒ相の電流値の符号を補正すると、Ｓ相の電流値を取得する電流センサ３７ｂ及びＴ相の電流値を取得する電流センサ３７ｃが設置されている方向が正しいか否かを判定する。制御部１７は、電流センサ３７ａから取得したＲ相の電流値が所定の位相であるときに、電流センサ３７ｂ及び３７ｃから取得した電流の測定値の瞬時値の極性に基づいて、電流センサ３７ｂ及び３７ｃが設置されている方向が正しいか否かを判定する。制御部１７は、電流センサ３７ｂの設置方向が正しい方向であると判定した場合、符号情報として「＋１」を記憶部１８に保存し、電流センサ３７ｂの設置方向が逆の方向であると判定した場合、符号情報として「−１」を記憶部１８に保存する。電流センサ３７ｃの符号情報についても同様である。制御部１７は、記憶部１８に保存した符号情報を用いて、電流センサ３７ｂ及び３７ｃの符号を補正する。
【０１１１】
以下、Ｒ相の位相として具体的な位相の例を示して説明する。
【０１１２】
（例１：Ｒ相の位相が１８０度又は３６０度）
図９（ａ）に、電流センサ３７ａ、３７ｂ及び３７ｃが正しい方向に設置されており、Ｒ相、Ｓ相及びＴ相の電流値を正しく取得できている場合の電流波形を示す。図９（ａ）に示すように、電流センサ３７ａ、３７ｂ及び３７ｃが正しい方向に設置されている場合、Ｓ相はＲ相に対して位相が１２０度遅れ、Ｔ相はＲ相に対して、位相が１２０度進む。
【０１１３】
図９に示す例においては、制御部１７は、Ｒ相の位相が１８０度又は３６０度の位相であるとき（図９（ａ）のＰ１〜Ｐ５）に、電流センサ３７ｂ及び３７ｃから取得した電流の測定値の瞬時値に基づいて、電流センサ３７ｂ及び３７ｃの設置方向を判定する。
【０１１４】
図９（ａ）に示すグラフのように、Ｒ相、Ｓ相及びＴ相の電流が正しい位相関係である場合、図９（ｂ）の表に示すように、Ｒ相が１８０度の位相においては、Ｓ相は正、Ｔ相は負であり、Ｒ相が３６０度の位相においては、Ｓ相は負、Ｔ相は正である。
【０１１５】
したがって、制御部１７は、Ｒ相が１８０度の位相のときに電流センサ３７ｂから取得したＳ相の電流の測定値の瞬時値の極性が正であれば、電流センサ３７ｂの設置方向は正しいと判定し、極性が負であれば、電流センサ３７ｂの設置方向は逆であると判定する。また、制御部１７は、Ｒ相が１８０度の位相のときに電流センサ３７ｃから取得したＴ相の電流の測定値の瞬時値の極性が負であれば、電流センサ３７ｃの設置方向は正しいと判定し、極性が正であれば、電流センサ３７ｃの設置方向は逆であると判定する。
【０１１６】
また、制御部１７は、Ｒ相が３６０度の位相のときに電流センサ３７ｂから取得したＳ相の電流の測定値の瞬時値の極性が負であれば、電流センサ３７ｂの設置方向は正しいと判定し、極性が正であれば、電流センサ３７ｂの設置方向は逆であると判定する。また、制御部１７は、Ｒ相が３６０度の位相のときに電流センサ３７ｃから取得したＴ相の電流の測定値の瞬時値の極性が正であれば、電流センサ３７ｃの設置方向は正しいと判定し、極性が負であれば、電流センサ３７ｃの設置方向は逆であると判定する。
【０１１７】
なお、上述の１８０度及び３６０度との値は厳密な値に限定されるものではなく、図９（ｂ）に示すＳ相及びＴ相の正負の関係を満たす範囲であれば、１８０度及び３６０度からずれた値であってもよい。例えば、１８０度の値は、１７０〜１９０度の範囲の値としてもよい。
【０１１８】
（例２：Ｒ相の位相が９０度又は２７０度）
図１０に示す例においては、制御部１７は、Ｒ相の位相が９０度又は２７０度の位相であるとき（図１０（ａ）のＰ１〜Ｐ６）に、電流センサ３７ｂ及び３７ｃから取得した電流の測定値の瞬時値に基づいて、電流センサ３７ｂ及び３７ｃの設置方向を判定する。
【０１１９】
図１０（ａ）に示すグラフのように、Ｒ相、Ｓ相及びＴ相の電流が正しい位相関係である場合、図１０（ｂ）の表に示すように、Ｒ相が９０度の位相においては、Ｓ相及びＴ相は負であり、Ｒ相が２７０度の位相においては、Ｓ相及びＴ相は正である。
【０１２０】
したがって、制御部１７は、Ｒ相が９０度の位相のときに電流センサ３７ｂから取得したＳ相の電流の測定値の瞬時値の極性が負であれば、電流センサ３７ｂの設置方向は正しいと判定し、極性が正であれば、電流センサ３７ｂの設置方向は逆であると判定する。また、制御部１７は、Ｒ相が９０度の位相のときに電流センサ３７ｃから取得したＴ相の電流の測定値の瞬時値の極性が負であれば、電流センサ３７ｃの設置方向は正しいと判定し、極性が正であれば、電流センサ３７ｃの設置方向は逆であると判定する。
【０１２１】
また、制御部１７は、Ｒ相が２７０度の位相のときに電流センサ３７ｂから取得したＳ相の電流の測定値の瞬時値の極性が正であれば、電流センサ３７ｂの設置方向は正しいと判定し、極性が負であれば、電流センサ３７ｂの設置方向は逆であると判定する。また、制御部１７は、Ｒ相が２７０度の位相のときに電流センサ３７ｃから取得したＴ相の電流の測定値の瞬時値の極性が正であれば、電流センサ３７ｃの設置方向は正しいと判定し、極性が負であれば、電流センサ３７ｃの設置方向は逆であると判定する。
【０１２２】
なお、上述の９０度及び２７０度との値は厳密な値に限定されるものではなく、図１０（ｂ）に示すＳ相及びＴ相の正負の関係を満たす範囲であれば、９０度及び２７０度からずれた値であってもよい。例えば、９０度の値は、８０〜１００度の範囲の値としてもよい。
【０１２３】
（例３：Ｒ相の位相が１２１〜２３９度の範囲）
図１１に示す例においては、制御部１７は、Ｒ相の位相が１２１〜２３９度の範囲の位相であるとき（図１１（ａ）のＰ１〜Ｐ２、Ｐ３〜Ｐ４、Ｐ５〜Ｐ６）に、電流センサ３７ｂ及び３７ｃから取得した電流の測定値の瞬時値に基づいて、電流センサ３７ｂ及び３７ｃの設置方向を判定する。
【０１２４】
図１１（ａ）に示すグラフのように、Ｒ相、Ｓ相及びＴ相の電流が正しい位相関係である場合、図１１（ｂ）の表に示すように、Ｒ相が１２１〜２３９度の範囲の位相においては、Ｓ相は正、Ｔ相は負である。
【０１２５】
したがって、制御部１７は、Ｒ相が１２１〜２３９度の範囲の位相のときに電流センサ３７ｂから取得したＳ相の電流の測定値の瞬時値の極性が正であれば、電流センサ３７ｂの設置方向は正しいと判定し、極性が負であれば、電流センサ３７ｂの設置方向は逆であると判定する。また、制御部１７は、Ｒ相が１２１〜２３９度の範囲の位相のときに電流センサ３７ｃから取得したＴ相の電流の測定値の瞬時値の極性が負であれば、電流センサ３７ｃの設置方向は正しいと判定し、極性が正であれば、電流センサ３７ｃの設置方向は逆であると判定する。
【０１２６】
なお、上述の１２１〜２３９度との値は厳密な値に限定されるものではなく、図１１（ｂ）に示すＳ相及びＴ相の正負の関係を満たす範囲であれば、１２１〜２３９度からずれた値であってもよい。例えば、１２０．５〜２３９．５度であってもよいし、１２５〜２３６度であってもよい。
【０１２７】
（例４：Ｒ相の位相が３０１〜５９度の範囲）
図１２に示す例においては、制御部１７は、Ｒ相の位相が３０１〜５９度の範囲の位相であるとき（図１２（ａ）のＰ１〜Ｐ２、Ｐ３〜Ｐ４）に、電流センサ３７ｂ及び３７ｃから取得した電流の測定値の瞬時値に基づいて、電流センサ３７ｂ及び３７ｃの設置方向を判定する。
【０１２８】
図１２（ａ）に示すグラフのように、Ｒ相、Ｓ相及びＴ相の電流が正しい位相関係である場合、図１２（ｂ）の表に示すように、Ｒ相が３０１〜５９度の範囲の位相においては、Ｓ相は負、Ｔ相は正である。
【０１２９】
したがって、制御部１７は、Ｒ相が３０１〜５９度の範囲の位相のときに電流センサ３７ｂから取得したＳ相の電流の測定値の瞬時値の極性が負であれば、電流センサ３７ｂの設置方向は正しいと判定し、極性が正であれば、電流センサ３７ｂの設置方向は逆であると判定する。また、制御部１７は、Ｒ相が３０１〜５９度の範囲の位相のときに電流センサ３７ｃから取得したＴ相の電流の測定値の瞬時値の極性が正であれば、電流センサ３７ｃの設置方向は正しいと判定し、極性が負であれば、電流センサ３７ｃの設置方向は逆であると判定する。
【０１３０】
なお、上述の３０１〜５９度との値は厳密な値に限定されるものではなく、図１２（ｂ）に示すＳ相及びＴ相の正負の関係を満たす範囲であれば、３０１〜５９度からずれた値であってもよい。例えば、３００．５〜５９．５度であってもよいし、３０６〜５５度であってもよい。
【０１３１】
（例１〜例４の組み合わせ）
制御部１７は、上述の例１〜例４で説明した位相を組み合わせて、Ｓ相の電流値を測定する電流センサ３７ｂ、及び、Ｔ相の電流値を測定する電流センサ３７ｃの設置方向を判定してもよい。例えば、制御部１７は、Ｒ相の電流値の１周期の波形において、例１〜例４に示した複数の位相において、電流センサ３７ｂ及び３７ｃの設置方向を判定してもよい。このように、制御部１７が複数のＲ相の位相において、電流センサ３７ｂ及び３７ｃの設置方向を判定することにより、設置方向の判定結果の信頼性を向上させることができる。
【０１３２】
また、制御部１７は、電流センサ３７ａから取得したＲ相の電流値の位相に応じて、例１〜例４に示した位相のどの位相において、電流センサ３７ｂ及び３７ｃの設置方向を判定するかを決定してもよい。例えば、制御部１７は、電流センサ３７ｂ及び３７ｃから取得したＳ相及びＴ相の電流の測定値の瞬時値が、Ｒ相の１８０度のときに取得した値であった場合は例１に示した判定処理を行い、Ｒ相の２２０度のときに取得した値であった場合は例３に示した判定処理を行う。こうすることにより、制御部１７は、電流センサ３７ｂ及び３７ｃの設置方向を判定する処理のための待ち時間を低減することができる。
【０１３３】
なお、第４実施形態においては負荷機器として三相三線に蓄電装置２５が接続されている場合を例に挙げて説明したが、太陽光発電装置が三相三線に接続される構成であってもよい。この場合、制御部１７は、第３実施形態と同様の処理により、電流センサ３７ａ、３７ｂ及び３７ｃのうちの１つの電流センサについて「絶対方向判定処理」を実行する。
【０１３４】
［第５実施形態］
図１３は、本発明の第５実施形態に係る電力管理システムの概略構成を示す図である。第５実施形態に係る電力管理システムは、蓄電装置９０と、電流センサ３７ａ、３７ｂ及び３７ｃとを備える。図１３において、各機能ブロックを結ぶ実線は電力線を示し、破線は通信線又は信号線を示す。通信線又は信号線が示す接続は、有線接続であってもよいし、無線接続であってもよい。第５実施形態においては、第４実施形態と同様又は類似する内容については適宜説明を省略し、第４実施形態との相違点について主に説明する。
【０１３５】
第５実施形態は、三相三線式の配線において、押し上げ効果なしの契約条件において設置されている蓄電装置９０を想定した構成である。なお、図１３においては、三相三線に接続されている太陽光発電装置の図示は省略している。
【０１３６】
電流センサ３７ａ、３７ｂ及び３７ｃは、蓄電装置９０が押し上げ効果を生じさせないように、系統５０への逆潮流を監視するための電流センサである。
【０１３７】
蓄電装置９０は、取得部９１、制御部９２、記憶部９３、蓄電池９４及びパワーコンディショナ９５を備える。取得部９１、制御部９２及び記憶部９３は、第４実施形態の電力管理装置１５における取得部１６、制御部１７及び記憶部１８にそれぞれ対応するものであり、取得部１６、制御部１７及び記憶部１８と同様の動作をするため詳細な説明は省略する。
【０１３８】
蓄電池９４は、放電することによりパワーコンディショナ９５に直流電力を供給する。また、蓄電池９４は、パワーコンディショナ９５から供給される直流電力により充電される。
【０１３９】
パワーコンディショナ９５は、蓄電池９４が放電する直流電力を交流電力に変換する。また、パワーコンディショナ９５は双方向であり、単相三線から供給される交流電力を直流電力に変換して蓄電池９４に供給し、蓄電池９４を充電する。
【０１４０】
第５実施形態においては、蓄電装置９０の内部に、第４実施形態の取得部１６、制御部１７及び記憶部１８にそれぞれ対応する取得部９１、制御部９２及び記憶部９３があるという点で第４実施形態と異なる。
【０１４１】
蓄電装置９０は、電流センサ３７ａ、３７ｂ及び３７ｃの設置時などに、電流センサ３７ａ、３７ｂ及び３７ｃの方向判定処理を実行する。
【０１４２】
蓄電装置９０は方向判定処理を実行する際、制御部９２が、蓄電池９４及びパワーコンディショナ９５に充電動作を開始させてから、方向判定処理を実行する。以後の処理は、第４実施形態と同様の処理である。
【０１４３】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップなどに含まれる機能などは論理的に矛盾しないように再配置可能であり、複数の構成部やステップなどを１つに組み合わせたり、或いは分割したりすることが可能である。また、本発明について装置を中心に説明してきたが、本発明は装置が備えるプロセッサにより実行される方法、プログラム、又はプログラムを記録した記憶媒体としても実現し得るものであり、本発明の範囲にはこれらも包含されるものと理解されたい。
【０１４４】
本開示内容の多くの側面は、プログラム命令を実行可能なコンピュータシステムその他のハードウェアによって実行される、一連の動作として示される。コンピュータシステムその他のハードウェアには、例えば、汎用コンピュータ、ＰＣ(パーソナルコンピュータ)、専用コンピュータ、ワークステーション、ＰＣＳ(Personal Communications System、パーソナル移動通信システム)、電子ノートパッド、ラップトップコンピュータ、又はその他のプログラム可能なデータ処理装置が含まれる。各実施形態では、種々の動作は、プログラム命令(ソフトウェア)で実装された専用回路(例えば、特定機能を実行するために相互接続された個別の論理ゲート)又は、１つ以上のプロセッサによって実行される論理ブロック若しくはプログラムモジュール等によって実行されることに留意されたい。論理ブロック又はプログラムモジュール等を実行する１つ以上のプロセッサには、例えば、１つ以上のマイクロプロセッサ、ＣＰＵ(中央演算処理ユニット)、ＡＳＩＣ(Application Specific Integrated Circuit)、ＤＳＰ(Digital Signal Processor)、ＰＬＤ(Programmable Logic Device)、ＦＰＧＡ(Field Programmable Gate Array)、コントローラ、マイクロコントローラ、電子機器、ここに記載する機能を実行可能に設計されたその他の装置及び／又はこれらいずれかの組合せが含まれる。ここに示す実施形態は、例えば、ハードウェア、ソフトウェア、ファームウェア、ミドルウェア、マイクロコード又はこれらいずれかの組合せによって実装される。
【０１４５】
ここで用いられる機械読取り可能な非一時的記憶媒体は、更に、ソリッドステートメモリ、磁気ディスク及び光学ディスクの範疇で構成されるコンピュータ読取り可能な有形のキャリア（媒体）として構成することができる。かかる媒体には、ここに開示する技術をプロセッサに実行させるためのプログラムモジュールなどのコンピュータ命令の適宜なセット及び、データ構造が格納される。コンピュータ読取り可能な媒体には、１つ以上の配線を備えた電気的接続、磁気ディスク記憶媒体、その他の磁気及び光学記憶装置(例えば、ＣＤ(Compact Disk)、ＤＶＤ(Digital Versatile Disc)、及びブルーレイディスク、可搬型コンピュータディスク、ＲＡＭ(Random Access Memory)、ＲＯＭ(Read-Only Memory)、ＥＰＲＯＭ、ＥＥＰＲＯＭ若しくはフラッシュメモリ等の書換え可能でプログラム可能なＲＯＭ若しくは情報を格納可能な他の有形の記憶媒体又はこれらいずれかの組合せが含まれる。メモリは、プロセッサ／プロセッシングユニットの内部及び／又は外部に設けることができる。ここで用いられるように、「メモリ」という語は、あらゆる種類の長期記憶用、短期記憶用、揮発性、不揮発性その他のメモリを意味し、特定の種類若しくはメモリの数又は記憶が格納される媒体の種類は限定されない。
【符号の説明】
【０１４６】
１０  電力管理装置
１１  取得部
１２  制御部
１３  記憶部
１５  電力管理装置
１６  取得部
１７  制御部
１８  記憶部
２０  蓄電装置
２５  蓄電装置
３０ａ、３０ｂ  電流センサ
３５ａ、３５ｂ  電流センサ
３７ａ、３７ｂ、３７ｃ  電流センサ
４０ａ、４０ｂ  電圧検出用配線
４７ａ、４７ｂ、４７ｃ  電圧検出用配線
５０  系統
６０ａ、６０ｂ  負荷
７０  蓄電装置
７１  取得部
７２  制御部
７３  記憶部
７４  蓄電池
７５  パワーコンディショナ
８０  太陽光発電装置
９０  蓄電装置
９１  取得部
９２  制御部
９３  記憶部
９４  蓄電池
９５  パワーコンディショナ
【図１】
2016121378.tif 000003
【図２】
2016121378.tif 000004
【図３】
2016121378.tif 000005
【図４】
2016121378.tif 000006
【図５】
2016121378.tif 000007
【図６】
2016121378.tif 000008
【図７】
2016121378.tif 000009
【図８】
2016121378.tif 000010
【図９】
2016121378.tif 000011
【図１０】
2016121378.tif 000012
【図１１】
2016121378.tif 000013
【図１２】
2016121378.tif 000014
【図１３】
2016121378.tif 000015
【国際調査報告】
2016121378.tif 000016
2016121378.tif 000017
2016121378.tif 000018